(57)【要約】【課題】認証機能を切り換えるための作業を簡素化することができ、認証機能を切り換えるために必要な時間を短くできるようにする。【解決手段】画像データに基づいてジョブの処理を行う画像データ処理部と、操作者の識別情報を記録するための記録部と、認証媒体から前記識別情報を読み込む識別情報読取部と、前記記録部に記録された前記識別情報、及び識別情報読取部から送信された識別情報に基づいて、認証機能を有効にしてジョブの処理を制限するジョブ処理制限処理手段とを有する。前記記録部に記録された識別情報、及び前記識別情報読取部から送信された識別情報に基づいて、認証機能が有効にされ、ジョブの処理が制限されるので、認証機能を切り換えるための作業を簡素化することができ、認証機能を切り換えるために必要な時間を短くすることができる。【選択図】図１
2012243271.tif 000002
【特許請求の範囲】
【請求項１】
（ａ）画像データに基づいてジョブの処理を行う画像データ処理部と、
（ｂ）操作者の識別情報を記録するための記録部と、
（ｃ）認証媒体から前記識別情報を読み込む識別情報読取部と、
（ｄ）前記記録部に記録された前記識別情報、及び識別情報読取部から送信された識別情報に基づいて、認証機能を有効にしてジョブの処理を制限するジョブ処理制限処理手段とを有することを特徴とする画像処理装置。
【請求項２】
ジョブの処理が制限されている場合において、前記記録部に記録された識別情報と、前記識別情報読取部から送信された識別情報とが一致する場合に、ジョブの処理が行われる請求項１に記載の画像処理装置。
【請求項３】
ジョブの処理が制限されていない場合、前記記録部に記録された識別情報と、前記識別情報読取部から送信された識別情報とが一致するかどうかにかかわりなく、ジョブの処理が行われる請求項１に記載の画像処理装置。
【請求項４】
前記識別情報読取部から送信された認証機能変更情報に基づいて、認証機能を無効にして、前記ジョブの処理の制限を解除するジョブ処理制限解除処理手段を有する請求項１〜３のいずれか１項に記載の画像処理装置。
【発明の詳細な説明】
【技術分野】
【０００１】
本発明は、画像処理装置に関するものである。
【背景技術】
【０００２】
従来、プリンタ、複写機、ファクシミリ、複合機等の画像形成装置、例えば、認証機能を有する複合機によって用紙に対して印刷を行っているときに、管理者が複合機から離れることがある。その場合、第三者が複合機を使用するのを防止するために、管理者がパスワードによる認証、承認等の認証機能を有効に切り換えることができるようになっている。そのために、管理者が、表示部に形成された機能選択画面でメニューを選択すると、表示部にメニュー画面が形成され、該メニュー画面で管理者メニューを選択すると、管理者メニュー画面が形成される。そして、管理者が、前記管理者メニュー画面でパスワードを入力してシステムセットアップを選択すると、システムセットアップ画面が形成され、該システムセットアップ画面で認証モードを選択すると、認証機能切替画面が形成される。続いて、管理者が前記認証機能切替画面でオンを選択することによって、認証機能を有効に切り換えることができる（例えば、特許文献１参照。）。
【先行技術文献】
【特許文献】
【０００３】
【特許文献１】特開２００６−３３８４８０号公報
【発明の概要】
【発明が解決しようとする課題】
【０００４】
しかしながら、前記従来の認証機能においては、管理者が認証機能を有効に切り換えるための作業が複雑であるだけでなく、認証機能を切り換えるために必要な時間が長くなってしまう。
【０００５】
本発明は、前記従来の認証機能の問題点を解決して、認証機能を切り換えるための作業を簡素化することができ、認証機能を切り換えるために必要な時間を短くすることができる画像処理装置を提供することを目的とする。
【課題を解決するための手段】
【０００６】
そのために、本発明の画像処理装置においては、画像データに基づいてジョブの処理を行う画像データ処理部と、操作者の識別情報を記録するための記録部と、認証媒体から前記識別情報を読み込む識別情報読取部と、前記記録部に記録された前記識別情報、及び識別情報読取部から送信された識別情報に基づいて、認証機能を有効にしてジョブの処理を制限するジョブ処理制限処理手段とを有する。
【発明の効果】
【０００７】
本発明によれば、画像処理装置においては、画像データに基づいてジョブの処理を行う画像データ処理部と、操作者の識別情報を記録するための記録部と、認証媒体から前記識別情報を読み込む識別情報読取部と、前記記録部に記録された前記識別情報、及び識別情報読取部から送信された識別情報に基づいて、認証機能を有効にしてジョブの処理を制限するジョブ処理制限処理手段とを有する。
【０００８】
この場合、前記記録部に記録された識別情報、及び前記識別情報読取部から送信された識別情報に基づいて、認証機能が有効にされ、ジョブの処理が制限されるので、認証機能を切り換えるための作業を簡素化することができ、認証機能を切り換えるために必要な時間を短くすることができる。
【図面の簡単な説明】
【０００９】
【図１】本発明の第１の実施の形態における画像処理装置の制御ブロック図である。
【図２】本発明の第１の実施の形態における暗証番号管理テーブルの例を示す図である。
【図３】本発明の第１の実施の形態における管理者パスワード管理テーブルの例を示す図である。
【図４】本発明の第１の実施の形態におけるＩＣカードに記録されたデータ構成の例を示す図である。
【図５】本発明の第１の実施の形態における操作パネルの概略図である。
【図６】本発明の第１の実施の形態における機能選択画面の例を示す図である。
【図７】本発明の第１の実施の形態における暗証番号入力画面の例を示す図である。
【図８】本発明の第１の実施の形態におけるパスワード入力画面の例を示す図である。
【図９】本発明の第１の実施の形態における認証機能有効切換メッセージ画面の例を示す図である。
【図１０】本発明の第１の実施の形態における認証機能無効切換メッセージ画面の例を示す図である。
【図１１】本発明の第１の実施の形態における項目選択画面の例を示す図である。
【図１２】本発明の第１の実施の形態における管理者メニュー画面の例を示す図である。
【図１３】本発明の第１の実施の形態におけるシステムセットアップ画面の例を示す図である。
【図１４】本発明の第１の実施の形態における認証機能切換画面の例を示す図である。
【図１５】本発明の第１の実施の形態における暗証番号誤入力メッセージ画面の例を示す図である。
【図１６】本発明の第１の実施の形態におけるパスワード誤入力メッセージ画面の例を示す図である。
【図１７】本発明の第１の実施の形態におけるメニュー画面の例を示す図である。
【図１８】本発明の第１の実施の形態における複合機の第１の動作を示すフローチャートである。
【図１９】本発明の第１の実施の形態における複合機の第２の動作を示す第１のフローチャートである。
【図２０】本発明の第１の実施の形態における複合機の第２の動作を示す第２のフローチャートである。
【図２１】本発明の第１の実施の形態における認証機能無効切換処理のサブルーチンを示す第１の図である。
【図２２】本発明の第１の実施の形態における認証機能無効切換処理のサブルーチンを示す第２の図である。
【図２３】本発明の第１の実施の形態における複合機の第３の動作を示すフローチャートである。
【図２４】本発明の第１の実施の形態における複合機の動作を示すタイムチャートである。
【図２５】本発明の第２の実施の形態における画像処理装置の制御ブロックである。
【図２６】本発明の第２の実施の形態における複合機の動作を示す第１のフローチャートである。
【図２７】本発明の第２の実施の形態における複合機の動作を示す第２のフローチャートである。
【図２８】本発明の第２の実施の形態における認証機能無効切換処理のサブルーチンを示す図である。
【発明を実施するための形態】
【００１０】
以下、本発明の実施の形態について図面を参照しながら詳細に説明する。この場合、画像形成装置としての複合機と媒体読取装置としてのＩＣカードリーダとを接続した画像処理装置について説明する。
【００１１】
図１は本発明の第１の実施の形態における画像処理装置の制御ブロック図、図２は本発明の第１の実施の形態における暗証番号管理テーブルの例を示す図、図３は本発明の第１の実施の形態における管理者パスワード管理テーブルの例を示す図、図４は本発明の第１の実施の形態におけるＩＣカードに記録されたデータ構成の例を示す図である。
【００１２】
図１において、１０は複合機、３０は該複合機１０と接続された識別情報読取部としてのＩＣカードリーダであり、該ＩＣカードリーダ３０によって、図示されない認証媒体としてのＩＣカードに記録された情報、例えば、第１の識別情報としての暗証番号、第２の識別情報としてのパスワード等の識別情報が読み取られる。複合機１０及びＩＣカードリーダ３０によって画像データを処理するための画像処理装置（画像処理システム）が構成される。
【００１３】
前記複合機１０は、図示されないＲＯＭ、ＨＤＤ、ＦＬＡＳＨメモリ等から成る第１の記録部としての不揮発性メモリ１１、前記ＩＣカードリーダ３０から送信された暗証番号を受信するデータ受信部としてのＩＣカードデータ受信部１２、認証機能についての制御を行う第１の制御部としての認証制御部１３、各種のジョブについての制御を行う第２の制御部としてのジョブ制御部１４、前記暗証番号、パスワード等を入力したり、ジョブを起動したりするための操作・表示部としての操作パネル１５、該操作パネル１５における操作の制御を行う第３の制御部としての操作パネル制御部１６、フラットベッド、ＡＤＦ等の図示されない原稿支持部にセットされた原稿の画像を読み取るための読取部としてのスキャナ１７、ＲＡＭ等から成り、前記スキャナ１７によって読み取られた原稿の画像データを記録するための第２の記録部としての揮発性メモリ１８、前記スキャナ１７の制御を行うことによってジョブの処理を行う第４の制御部としての、読取制御部としての、かつ、第１の画像データ処理部としてのスキャン制御部１９、画像データに基づいて印刷を行うことによってジョブの処理を行う第５の制御部としての、印刷制御部としての、かつ、第２の画像データ処理部としてのプリント制御部２０、及び画像データを送信したり受信したりすることによってジョブの処理を行う第６の制御部としての、かつ、第３の画像データ処理部としてのファックス制御部２１を備える。なお、前記揮発性メモリ１８には、前記画像データが暗証番号、パスワード等と対応させて記録される。
【００１４】
前記スキャナ１７に原稿がセットされた状態で、複合機１０を複写機として機能させると、スキャナ１７は原稿の画像を読み取り、画像データを生成し、揮発性メモリ１８に記録する。そして、前記ジョブ制御部１４は、揮発性メモリ１８に記録された画像データをスキャン制御部１９に送信する。
【００１５】
ところで、認証機能が無効であるときに、認証機能を有効に切り換えることがある。
【００１６】
そこで、本実施の形態においては、前記不揮発性メモリ１１に、図２に示される暗証番号管理テーブル、図３に示される管理者パスワード管理テーブル等が形成される。
【００１７】
前記暗証番号管理テーブルには、第１の操作者としての一般のユーザの暗証番号、及び第２の操作者としての管理者の暗証番号が、「一般」（ユーザ）及び「管理者」の種別に分類されて記録される。暗証番号及び種別は、暗証番号を登録する際に不揮発性メモリ１１に記録され、暗証番号を参照する際に不揮発性メモリ１１から読み出される。
【００１８】
そして、前記管理者パスワード管理テーブルには、任意の文字列で構成された管理者のパスワードが管理者パスワードとして記録される。前記管理者のパスワードは、パスワードを登録したり変更したりする際に不揮発性メモリ１１に記録され、パスワードを参照する際に不揮発性メモリ１１から読み出される。
【００１９】
また、前記ＩＣカードには、図４に示されるように、ユーザ又は管理者の「暗証番号」、「名前」、「役割」、「会社名」、「部署名」、「チーム名」等のキー、及び各データが大きい順に記録される。
【００２０】
ユーザ又は管理者が、ＩＣカードをＩＣカードリーダ３０にかざすと、該ＩＣカードリーダ３０の図示されない情報読取処理手段は、情報読取処理を行い、前記ＩＣカードに記録された暗証番号を読み取り、複合機１０に送信する。
【００２１】
図５は本発明の第１の実施の形態における操作パネルの概略図である。
【００２２】
図に示されるように、操作パネル１５は、各種の画面を表示するための表示部ｄｓを備えるとともに、ユーザ又は管理者が、英数字及び記号の文字情報を入力するための操作要素としてのボタンｋ１〜ｋ１２、前記表示部ｄｓにおいて、図示されないカーソルを移動させるための操作要素としての上カーソルキーｋ２１、右カーソルキーｋ２２、下カーソルキーｋ２３及び左カーソルキーｋ２４、入力した内容を確定するための操作要素としての決定（Ｅｎｔｅｒ）キーｋ２５、ジョブをキャンセルするための操作要素としてのキャンセル（Ｃａｎｃｅｌ）ボタンｋ３１、並びにジョブを起動させるための操作要素としての起動（Ｓｔａｒｔ）ボタンｋ３２から成る操作部を備える。
【００２３】
なお、本実施の形態において、右カーソルキーｋ２２は、入力した内容を確定するための操作要素としても機能させることができる。
【００２４】
次に、前記表示部ｄｓに形成される画面について説明する。
【００２５】
図６は本発明の第１の実施の形態における機能選択画面の例を示す図、図７は本発明の第１の実施の形態における暗証番号入力画面の例を示す図、図８は本発明の第１の実施の形態におけるパスワード入力画面の例を示す図、図９は本発明の第１の実施の形態における認証機能有効切換メッセージ画面の例を示す図、図１０は本発明の第１の実施の形態における認証機能無効切換メッセージ画面の例を示す図、図１１は本発明の第１の実施の形態における項目選択画面の例を示す図、図１２は本発明の第１の実施の形態における管理者メニュー画面の例を示す図、図１３は本発明の第１の実施の形態におけるシステムセットアップ画面の例を示す図、図１４は本発明の第１の実施の形態における認証機能切換画面の例を示す図、図１５は本発明の第１の実施の形態における暗証番号誤入力メッセージ画面の例を示す図、図１６は本発明の第１の実施の形態におけるパスワード誤入力メッセージ画面の例を示す図、図１７は本発明の第１の実施の形態におけるメニュー画面の例を示す図である。なお、図６、１１〜１４及び１７において選択された機能、項目等について、文字の背景が網目で表示される。
【００２６】
図６に示される機能選択画面ｄｓ１は、コピー、スキャン、ファックス及びメニューのうちの所定の機能を選択するための画面であり、ユーザ又は管理者が、前記操作パネル１５（図５）において、上カーソルキーｋ２１又は下カーソルキーｋ２３を押下して、機能選択画面ｄｓ１上の前記カーソルを移動させて選択したい機能に合わせ、右カーソルキーｋ２２又は決定キーｋ２５を押下すると、機能を選択することができる。
【００２７】
また、図７に示される暗証番号入力画面ｄｓ２は、暗証番号を入力するための画面であり、ユーザ又は管理者が、前記操作パネル１５において、ボタンｋ１〜ｋ９、ｋ１１を押下して暗証番号を構成する英数字を入力し、決定キーｋ２５を押下すると、暗証番号を入力することができる。
【００２８】
そして、図８に示されるパスワード入力画面ｄｓ３は、複合機１０に対してログインするに当たりパスワードを入力するための画面であり、ユーザ又は管理者が、ボタンｋ１〜ｋ９、ｋ１１を押下してパスワードを構成する英数字を入力し、決定キーｋ２５を押下すると、パスワードを入力することができる。
【００２９】
また、図９に示される認証機能有効切換メッセージ画面ｄｓ４は、認証機能（認証モード）が有効になったことをユーザ又は管理者に通知するための画面であり、図１０に示される認証機能無効切換メッセージ画面ｄｓ５は、認証機能が無効になったことをユーザ又は管理者に通知するための画面である。
【００３０】
そして、図１１に示される項目選択画面ｄｓ６は、ユーザ又は管理者が機能選択画面ｄｓ１でメニューの機能を選択した場合に形成され、コピーメニュー、スキャンメニュー、ファックスメニュー及び管理者メニューのうちの所定の項目を選択するための画面であり、ユーザ又は管理者が、前記上カーソルキーｋ２１又は下カーソルキーｋ２３を押下してカーソルを移動させ、選択したい項目に合わせ、右カーソルキーｋ２２又は決定キーｋ２５を押下すると、項目を選択することができる。
【００３１】
また、図１２に示される管理者メニュー画面ｄｓ７は、管理者が前記項目選択画面ｄｓ６で管理者メニューを選択した場合に形成され、システムセットアップ、プリンタセットアップ、スキャナセットアップ及びファックスセットアップのうちの所定の項目を選択するための画面であり、管理者が、前記上カーソルキーｋ２１又は下カーソルキーｋ２３を押下してカーソルを移動させ、選択したい項目に合わせ、右カーソルキーｋ２２又は決定キーｋ２５を押下すると、項目を選択することができる。
【００３２】
そして、図１３に示されるシステムセットアップ画面ｄｓ８は、管理者が前記管理者メニュー画面ｄｓ７でシステムセットアップを選択した場合に形成され、認証モード、パワーセーブタイム、スタンバイタイム及び初期画面のうちの所定の項目を選択するための画面であり、管理者が、前記上カーソルキーｋ２１又は下カーソルキーｋ２３を押下してカーソルを移動させ、選択したい項目に合わせ、右カーソルキーｋ２２又は決定キーｋ２５を押下すると、項目を選択することができる。
【００３３】
また、図１４に示される認証機能切換画面ｄｓ９は、管理者が前記システムセットアップ画面ｄｓ８で認証モードを選択した場合に形成され、認証機能をオン（ＯＮ）又はオフ（ＯＦＦ）にするための画面であり、管理者が、前記上カーソルキーｋ２１又は下カーソルキーｋ２３を押下してカーソルを移動させ、オン又はオフに合わせ、右カーソルキーｋ２２又は決定キーｋ２５を押下すると、認証機能をオン又はオフにすることができる。このとき、管理者がオンを選択すると、認証機能が有効になり、オフを選択すると、認証機能が無効になる。
【００３４】
そして、図１５に示される暗証番号誤入力メッセージ画面ｄｓ１０は、ユーザ又は管理者が前記暗証番号入力画面ｄｓ２において入力した暗証番号が誤りであった場合に形成され、「暗証番号が間違っています」等のメッセージを表示することによって、暗証番号が正しくないことを通知するための画面であり、図１６に示されるパスワード誤入力メッセージ画面ｄｓ１１は、ユーザ又は管理者が前記パスワード入力画面ｄｓ３において入力したパスワードが誤りであった場合に形成され、「パスワードが間違っています」等のメッセージを表示することによって、パスワードが正しくないことを通知するための画面である。
【００３５】
また、図１７に示されるメニュー画面ｄｓ１２は、ユーザ又は管理者が前記パスワード入力画面ｄｓ３においてパスワードを入力し、複合機１０に対してログインし、機能選択画面ｄｓ１でメニューを選択した場合に形成され、ユーザ又は管理者が、コピーメニュー、スキャンメニュー及びファックスメニューのうちの所定の項目を選択するための画面であり、前記上カーソルキーｋ２１又は下カーソルキーｋ２３を押下してカーソルを移動させ、選択する項目に合わせ、右カーソルキーｋ２２又は決定キーｋ２５を押下すると、項目を選択することができる。
【００３６】
次に、認証機能が無効である場合に、認証機能を有効に切り換えるときの複合機１０の動作について説明する。
【００３７】
図１８は本発明の第１の実施の形態における複合機の第１の動作を示すフローチャートである。
【００３８】
まず、認証制御部１３の図示されない認証機能判断処理手段は、認証機能判断処理を行い、認証機能が有効であるかどうかを判断し、認証機能が有効である場合、操作パネル制御部１６の図示されない表示処理手段は、表示処理を行い、表示部ｄｓに暗証番号入力画面ｄｓ２（図７）を形成し、該暗証番号入力画面ｄｓ２に暗証番号の入力を促すメッセージを表示する。
【００３９】
また、認証機能が有効でない（無効である）場合、前記表示処理手段は、表示部ｄｓに機能選択画面ｄｓ１（図６）を形成し、該機能選択画面ｄｓ１に、選択可能な機能をリストで表示する。
【００４０】
そして、ユーザ又は管理者がＩＣカードをＩＣカードリーダ３０にかざすと、前記ＩＣカードリーダ３０の前記情報読取処理手段は、ＩＣカードに記録された暗証番号を読み取り、複合機１０に送信する。
【００４１】
次に、ＩＣカードデータ受信部１２がＩＣカードリーダ３０から送信された暗証番号を受信すると、認証制御部１３の図示されない第１の識別情報判断処理手段としての登録判断処理手段は、第１の識別情報判断処理としての登録判断処理を行い、暗証番号を読み込み、暗証番号管理テーブル（図２）を参照し、ＩＣカードリーダ３０から送信された暗証番号と暗証番号管理テーブルに記録された暗証番号とが一致する（暗証番号が登録されている）かどうかを判断する。
【００４２】
そして、送信された暗証番号と暗証番号管理テーブルに記録された暗証番号とが一致する場合、前記登録判断処理手段は、暗証番号の種別を読み出し、暗証番号の種別が管理者であるかどうかを判断し、暗証番号の種別が管理者である場合、認証制御部１３の図示されない第１の認証機能切換処理手段としての認証機能有効切換処理手段は、第１の認証機能切換処理としての認証機能有効切換処理を行い、認証機能を切り換えて有効にし、有効にしたことを操作パネル制御部１６に伝える。そして、前記表示処理手段は、表示部ｄｓに認証機能有効切換メッセージ画面ｄｓ４（図９）を形成し、該認証機能有効切換メッセージ画面ｄｓ４に認証機能が有効になったことを表すメッセージを表示する。
【００４３】
続いて、前記表示処理手段は、表示部ｄｓに暗証番号入力画面ｄｓ２を形成し、該暗証番号入力画面ｄｓ２に暗証番号の入力を促すメッセージを表示する。なお、前記認証機能有効切換処理手段は、ジョブの処理を制限するジョブ処理制限処理手段としても機能する。
【００４４】
また、送信された暗証番号と暗証番号管理テーブルに記録された暗証番号とが一致しない（暗証番号が登録されていない）場合、及び暗証番号の種別が管理者でない（一般である）場合、前記登録判断処理手段は処理を終了する。
【００４５】
次に、フローチャートについて説明する。
ステップＳ１  認証機能が有効であるかどうかを判断する。認証機能が有効である場合はステップＳ７に、認証機能が有効でない場合はステップＳ２に進む。
ステップＳ２  機能選択画面ｄｓ１を形成する。
ステップＳ３  ＩＣカードリーダ３０にＩＣカードがかざされるのを待機し、ＩＣカードがかざされた場合はステップＳ４に進む。
ステップＳ４  暗証番号が登録されているかどうかを判断する。暗証番号が登録されている場合はステップＳ５に進み、登録されていない場合は処理を終了する。
ステップＳ５  暗証番号の種別が管理者であるかどうかを判断する。暗証番号の種別が管理者である場合はステップＳ６に進み、管理者でない場合は処理を終了する。
ステップＳ６  認証機能を有効にし、認証機能有効切換メッセージ画面ｄｓ４を形成し、ステップＳ１に戻る。
ステップＳ７  暗証番号入力画面ｄｓ２を形成し、処理を終了する。
【００４６】
次に、ユーザ又は管理者が複合機１０に対してログインするときの複合機１０の動作について説明する。
【００４７】
図１９は本発明の第１の実施の形態における複合機の第２の動作を示す第１のフローチャート、図２０は本発明の第１の実施の形態における複合機の第２の動作を示す第２のフローチャートである。
【００４８】
まず、前記認証機能判断処理手段は、認証機能が有効であるかどうかを判断し、認証機能が有効である場合、前記表示処理手段は、表示部ｄｓに暗証番号入力画面ｄｓ２（図７）を形成し、該暗証番号入力画面ｄｓ２に暗証番号の入力を促すメッセージを表示する。
【００４９】
そして、ユーザ又は管理者がＩＣカードをＩＣカードリーダ３０にかざすと、前記ＩＣカードリーダ３０の前記情報読取処理手段は、ＩＣカードに記録された暗証番号を読み取り、複合機１０に送信する。
【００５０】
次に、ＩＣカードデータ受信部１２がＩＣカードリーダ３０から送信された暗証番号を受信すると、前記登録判断処理手段は、暗証番号を読み込み、暗証番号管理テーブル（図２）を参照し、ＩＣカードリーダ３０から送信された暗証番号と暗証番号管理テーブルに記録された暗証番号とが一致するかどうかを判断する。
【００５１】
そして、送信された暗証番号と暗証番号管理テーブルに記録された暗証番号とが一致しない場合、前記登録判断処理手段は、認証が失敗したことを操作パネル制御部１６に伝え、前記表示処理手段は、表示部ｄｓに暗証番号誤入力メッセージ画面ｄｓ１０（図１５）を形成し、該暗証番号誤入力メッセージ画面ｄｓ１０に暗証番号が正しくないことを表すメッセージを表示する。続いて、前記表示処理手段は、表示部ｄｓに暗証番号入力画面ｄｓ２を形成し、該暗証番号入力画面ｄｓ２に暗証番号の入力を促すメッセージを表示する。
【００５２】
また、送信された暗証番号と暗証番号管理テーブルに記録された暗証番号とが一致する場合、前記登録判断処理手段は、暗証番号の種別を読み出し、暗証番号の種別が管理者であるかどうかを判断し、暗証番号の種別が管理者である場合、暗証番号の種別が管理者であることを操作パネル制御部１６に伝え、前記表示処理手段は、表示部ｄｓにパスワード入力画面ｄｓ３（図８）を形成し、該パスワード入力画面ｄｓ３にパスワードの入力を促すメッセージを表示する。
【００５３】
そして、管理者が前記パスワード入力画面ｄｓ３でパスワードを入力すると、前記認証制御部１３の図示されない第２の識別情報判断処理手段としての認証判断処理手段は、第２の識別情報判断処理としての認証判断処理を行い、入力されたパスワードを読み込み、管理者パスワード管理テーブル（図３）を参照し、入力されたパスワードと管理者パスワード管理テーブルに記録されたパスワードとが一致する（パスワードが登録されている）かどうかを判断する。
【００５４】
入力されたパスワードと管理者パスワード管理テーブルに記録されたパスワードとが一致する場合、前記認証判断処理手段は、認証が成功したことを操作パネル制御部１６に伝え、前記表示処理手段は、表示部ｄｓに機能選択画面ｄｓ１を形成し、該機能選択画面ｄｓ１に、選択可能な機能をリストで表示する。
【００５５】
その後、認証機能を無効に切り換える場合、認証制御部１３の図示されない第２の認証機能切換処理手段としての認証機能無効切換処理手段は、第２の認証機能切換処理としての認証機能無効切換処理を行い、認証機能を切り換えて無効にする。なお、前記認証機能無効切換処理手段は、ジョブの処理の制限を解除するジョブ処理制限解除処理手段としても機能する。
【００５６】
また、入力されたパスワードと管理者パスワード管理テーブルに記録されたパスワードとが一致しない（パスワードが登録されていない）場合、前記認証判断処理手段は、認証が失敗したことを操作パネル制御部１６に伝え、前記表示処理手段は、表示部ｄｓにパスワード誤入力メッセージ画面ｄｓ１１（図１６）を形成し、該パスワード誤入力メッセージ画面ｄｓ１１に、パスワードが正しくないことを表すメッセージを表示する。続いて、前記表示処理手段は、表示部ｄｓに暗証番号入力画面ｄｓ２を形成し、該暗証番号入力画面ｄｓ２に暗証番号の入力を促すメッセージを表示する。
【００５７】
また、認証機能が有効でない場合、及び暗証番号の種別が管理者でない場合、前記表示処理手段は、表示部ｄｓに機能選択画面ｄｓ１を形成し、該機能選択画面ｄｓ１に、選択可能な機能をリストで表示し、処理を終了する。
【００５８】
次に、フローチャートについて説明する。
ステップＳ１１  認証機能が有効であるかどうかを判断する。認証機能が有効である場合はステップＳ１２に、認証機能が有効でない場合はステップＳ２３に進む。
ステップＳ１２  暗証番号入力画面ｄｓ２を形成する。
ステップＳ１３  ＩＣカードリーダ３０にＩＣカードがかざされるのを待機し、ＩＣカードがかざされた場合はステップＳ１４に進む。
ステップＳ１４  暗証番号が登録されているかどうかを判断する。暗証番号が登録されている場合はステップＳ１６に、登録されていない場合はステップＳ１５に進む。
ステップＳ１５  暗証番号誤入力メッセージ画面ｄｓ１０を形成し、ステップＳ１２に戻る。
ステップＳ１６  暗証番号の種別が管理者であるかどうかを判断する。暗証番号の種別が管理者である場合はステップＳ１７に、管理者でない場合はステップＳ２３に進む。
ステップＳ１７  パスワード入力画面ｄｓ３を形成する。
ステップＳ１８  パスワードが入力されるのを待機し、パスワードが入力された場合はステップＳ１９に進む。
ステップＳ１９  パスワードが登録されているかどうかを判断する。パスワードが登録されている場合はステップＳ２１に、パスワードが登録されていない場合はステップＳ２０に進む。
ステップＳ２０  パスワード誤入力メッセージ画面ｄｓ１１を形成し、ステップＳ１２に戻る。
ステップＳ２１  機能選択画面ｄｓ１を形成する。
ステップＳ２２  認証機能無効切換処理を行い、処理を終了する。
ステップＳ２３  機能選択画面ｄｓ１を形成し、処理を終了する。
【００５９】
次に、認証機能が有効である場合に、前記認証機能無効切換処理手段によって認証機能を無効に切り換えるときの複合機１０の動作について説明する。
【００６０】
図２１は本発明の第１の実施の形態における認証機能無効切換処理のサブルーチンを示す第１の図、図２２は本発明の第１の実施の形態における認証機能無効切換処理のサブルーチンを示す第２の図である。
【００６１】
まず、認証機能無効切換処理手段の操作判断処理手段は、操作判断処理を行い、ユーザ又は管理者が機能選択画面ｄｓ１（図６）でメニューを選択したかどうかを判断する。そして、ユーザ又は管理者が機能選択画面ｄｓ１でメニューを選択した場合、前記認証機能無効切換処理手段の登録判断処理手段は、登録判断処理を行い、暗証番号管理テーブル（図２）を参照し、認証機能が有効にされるときに認証に成功した暗証番号の種別を読み出し、暗証番号の種別が管理者であるかどうかを判断する。
【００６２】
そして、暗証番号の種別が管理者でない場合、前記登録判断処理手段は、暗証番号の種別がユーザであることを操作パネル制御部１６に伝え、前記認証機能無効切換処理手段の表示処理手段は、表示処理を行い、表示部ｄｓにメニュー画面ｄｓ１２（図１７）を形成し、該メニュー画面ｄｓ１２に、選択可能な項目をリストで表示する。
【００６３】
また、暗証番号の種別が管理者である場合、前記登録判断処理手段は、暗証番号の種別が管理者であることを操作パネル制御部１６に伝え、前記表示処理手段は、表示部ｄｓに項目選択画面ｄｓ６（図１１）を形成し、該項目選択画面ｄｓ６に、選択可能な項目をリストで表示する。
【００６４】
続いて、前記操作判断処理手段は、管理者が項目選択画面ｄｓ６で管理者メニューを選択したかどうかを判断し、管理者が管理者メニューを選択した場合、前記表示処理手段は、表示部ｄｓに管理者メニュー画面ｄｓ７（図１２）を形成し、該管理者メニュー画面ｄｓ７に、選択可能な項目をリストで表示する。
【００６５】
そして、前記操作判断処理手段は、管理者が管理者メニュー画面ｄｓ７でシステムセットアップを選択したかどうかを判断し、管理者がシステムセットアップを選択した場合、前記表示処理手段は、表示部ｄｓにシステムセットアップ画面ｄｓ８（図１３）を形成し、該システムセットアップ画面ｄｓ８に、選択可能な項目をリストで表示する。
【００６６】
続いて、前記操作判断処理手段は、管理者がシステムセットアップ画面ｄｓ８で認証モードを選択したかどうかを判断し、管理者が認証モードを選択した場合、前記表示処理手段は、表示部ｄｓに認証機能切換画面ｄｓ９（図１４）を形成し、該認証機能切換画面ｄｓ９に、オン及びオフを表示する。
【００６７】
そして、前記操作判断処理手段は、管理者が認証機能切換画面ｄｓ９でオフを選択したかどうかを判断し、管理者がオフを選択した場合、前記認証機能無効切換処理手段の機能切換処理手段は、機能切換処理を行い、認証機能を切り換えて無効にし、無効にしたことを操作パネル制御部１６に伝える。そして、前記表示処理手段は、表示部ｄｓに認証機能無効切換メッセージ画面ｄｓ５（図１０）を形成し、該認証機能無効切換メッセージ画面ｄｓ５に認証機能が無効になったことを表すメッセージを表示する。続いて、前記表示処理手段は、表示部ｄｓに機能選択画面ｄｓ１を形成し、該機能選択画面ｄｓ１に、選択可能な機能をリストで表示する。
【００６８】
次に、フローチャートについて説明する。
ステップＳ２２−１  機能選択画面ｄｓ１でメニューが選択されるのを待機し、メニューが選択された場合はステップＳ２２−２に進む。
ステップＳ２２−２  暗証番号の種別が管理者であるかどうかを判断する。暗証番号の種別が管理者である場合はステップＳ２２−３に、管理者でない場合はステップＳ２２−１３に進む。
ステップＳ２２−３  項目選択画面ｄｓ６を形成する。
ステップＳ２２−４  項目選択画面ｄｓ６で管理者メニューが選択されるのを待機し、管理者メニューが選択された場合はステップＳ２２−５に進む。
ステップＳ２２−５  管理者メニュー画面ｄｓ７を形成する。
ステップＳ２２−６  管理者メニュー画面ｄｓ７でシステムセットアップが選択されるのを待機し、システムセットアップが選択された場合はステップＳ２２−７に進む。
ステップＳ２２−７  システムセットアップ画面ｄｓ８を形成する。
ステップＳ２２−８  システムセットアップ画面ｄｓ８で認証モードが選択されるのを待機し、認証モードが選択された場合はステップＳ２２−９に進む。
ステップＳ２２−９  認証機能切換画面ｄｓ９を形成する。
ステップＳ２２−１０  認証機能切換画面ｄｓ９でオフが選択されるのを待機し、オフが選択された場合はステップＳ２２−１１に進む。
ステップＳ２２−１１  認証機能を無効にし、認証機能無効切換メッセージ画面ｄｓ５を形成する。
ステップＳ２２−１２  機能選択画面ｄｓ１を形成し、処理を終了する。
ステップＳ２２−１３  メニュー画面ｄｓ１２を形成し、処理を終了する。
【００６９】
次に、コピー（複写）を開始するときの複合機１０の動作について説明する。
【００７０】
図２３は本発明の第１の実施の形態における複合機の第３の動作を示すフローチャートである。
【００７１】
まず、操作パネル制御部１６の前記操作判断処理手段は、ユーザが機能選択画面ｄｓ１（図６）でコピーを選択したかどうかを判断し、ユーザが機能選択画面ｄｓ１でコピーを選択すると、前記操作判断処理手段は、スキャナ１７（図１）に原稿がセットされ、ジョブに関する各設定が変更され、その後、起動ボタンｋ３２（図５）が押下されるのを待機する。そして、ユーザが起動ボタンｋ３２を押下すると、スキャン制御部１９の図示されない複写処理手段は、複写処理を行い、コピーを開始する。
【００７２】
次に、フローチャートについて説明する。
ステップＳ３１  機能選択画面ｄｓ１でコピーが選択されるのを待機し、コピーが選択された場合はステップＳ３２に進む。
ステップＳ３２  スキャナ１７に原稿がセットされ、起動ボタンｋ３２が押下されるのを待機する。スキャナ１７に原稿がセットされ、起動ボタンｋ３２が押下された場合はステップＳ３３に進む。
ステップＳ３３  コピーを開始し、処理を終了する。
【００７３】
次に、認証機能、ＩＣカードの読取り及びジョブの処理の関係について説明する。
【００７４】
図２４は本発明の第１の実施の形態における複合機の動作を示すタイムチャートである。
【００７５】
図において、認証機能の有効及び無効、ＩＣカードリーダ３０によって管理者のＩＣカードが読み取られているかどうか（読取中又は非読取中）、並びにジョブの処理が行われているかどうか（実行中又は非実行中）が示される。
【００７６】
この場合、タイミングｔ１、ｔ２間は、認証機能が無効にされているので、ジョブの処理が制限されることなく、すなわち、ユーザが暗証番号、パスワード等を入力することなく行われる。
【００７７】
そして、タイミングｔ２で、管理者がＩＣカードをＩＣカードリーダ３０にかざし、認証機能が有効にされると、ジョブの処理が制限される。これにより、暗証番号、パスワード等が一致する場合に、ジョブの処理が行われる。
【００７８】
また、タイミングｔ３で、管理者がＩＣカードをＩＣカードリーダ３０にかざし、認証機能が無効にされると、ジョブの処理が制限されることなく行われる。
【００７９】
このように、本実施の形態においては、認証機能が無効である場合に、管理者がＩＣカードをＩＣカードリーダ３０にかざすだけで、認証機能を切り換えて有効にすることができるので、認証機能を切り換えるための作業を簡素化することができ、認証機能を切り換えるために必要な時間を短くすることができる。
【００８０】
次に、本発明の第２の実施の形態について説明する。なお、第１の実施の形態と同じ構造を有するものについては、同じ符号を付与し、同じ構造を有することによる発明の効果については同実施の形態の効果を援用する。
【００８１】
図２５は本発明の第２の実施の形態における画像処理装置の制御ブロック図である。
【００８２】
この場合、複合機１０には、データ受信部としてのＩＣカードデータ受信部１２と接続させて、媒体情報判定処理部としてのＩＣカードデータ判定部２２が配設される。該ＩＣカードデータ判定部２２は、媒体情報判定処理を行い、複合機１０と接続された識別情報読取部としてのＩＣカードリーダ３０から送信され、前記ＩＣカードデータ受信部１２によって受信された媒体情報としてのデータが、暗証番号であるかどうか、及び認証機能を無効にするための情報、すなわち、認証機能無効切換情報であるかどうかを判断する。なお、前記暗証番号によって第１の認証機能変更情報が、前記認証機能無効切換情報によって第２の認証機能変更情報が構成される。
【００８３】
次に、前記構成の複合機１０の動作について説明する。この場合、ユーザ又は管理者が複合機１０に対してログインするときの動作について説明する。
【００８４】
図２６は本発明の第２の実施の形態における複合機の動作を示す第１のフローチャート、図２７は本発明の第２の実施の形態における複合機の動作を示す第２のフローチャートである。
【００８５】
まず、第１の制御部としての認証制御部１３の前記認証機能判断処理手段は、認証機能が有効であるかどうかを判断し、認証機能が有効である場合、第３の制御部としての操作パネル制御部１６の前記表示処理手段は、表示部ｄｓに暗証番号入力画面ｄｓ２（図７）を形成し、該暗証番号入力画面ｄｓ２に暗証番号の入力を促すメッセージを表示する。
【００８６】
また、認証機能が有効でない場合、前記表示処理手段は、表示部ｄｓに機能選択画面ｄｓ１（図６）を形成し、該機能選択画面ｄｓ１に、選択可能な機能をリストで表示し、処理を終了する。
【００８７】
そして、ユーザ又は管理者がＩＣカードをＩＣカードリーダ３０にかざすと、前記情報読取処理部は、ＩＣカードに記録されたデータ（暗証番号、認証機能無効切換情報等）を読み取り、複合機１０に送信する。
【００８８】
次に、ＩＣカードデータ受信部１２がＩＣカードリーダ３０から送信されたデータを受信すると、ＩＣカードデータ判定部２２はＩＣカードリーダ３０から受信した前記データが暗証番号であるかどうかを判断する。
【００８９】
そして、前記データが暗証番号である場合、認証制御部１３の前記第１の識別情報判断処理手段としての登録判断処理手段は、暗証番号を読み込み、暗証番号管理テーブル（図２）を参照し、ＩＣカードリーダ３０から送信された暗証番号と暗証番号管理テーブルに記録された暗証番号とが一致する（暗証番号が登録されている）かどうかを判断する。
【００９０】
また、送信された暗証番号と暗証番号管理テーブルに記録された暗証番号とが一致しない場合、前記登録判断処理手段は、認証が失敗したことを操作パネル制御部１６に伝え、前記表示処理手段は、表示部ｄｓに暗証番号誤入力メッセージ画面ｄｓ１０（図１５）を形成し、該暗証番号誤入力メッセージ画面ｄｓ１０に暗証番号が正しくないことを表すメッセージを表示する。続いて、前記表示処理手段は、表示部ｄｓに暗証番号入力画面ｄｓ２を形成し、該暗証番号入力画面ｄｓ２に暗証番号の入力を促すメッセージを表示する。
【００９１】
そして、送信された暗証番号と暗証番号管理テーブルに記録された暗証番号とが一致する場合、前記登録判断処理手段は、暗証番号の種別を読み出し、暗証番号の種別が管理者であるかどうかを判断し、暗証番号の種別が管理者である場合、暗証番号の種別が管理者であることを操作パネル制御部１６に伝え、前記表示処理手段は、表示部ｄｓにパスワード入力画面ｄｓ３（図８）を形成し、該パスワード入力画面ｄｓ３にパスワードの入力を促すメッセージを表示する。
【００９２】
続いて、管理者が前記パスワード入力画面ｄｓ３でパスワードを入力すると、認証制御部１３の前記第２の識別情報判断処理手段としての認証判断処理手段は、パスワードを読み込み、管理者パスワード管理テーブル（図３）を参照し、入力されたパスワードと管理者パスワード管理テーブルに記録されたパスワードとが一致する（パスワードが登録されている）かどうかを判断する。
【００９３】
入力されたパスワードと管理者パスワード管理テーブルに記録されたパスワードとが一致する場合、前記認証判断処理手段は、認証が成功したことを操作パネル制御部１６に伝え、前記表示処理手段は、表示部ｄｓに機能選択画面ｄｓ１を形成し、該機能選択画面ｄｓ１に、選択可能な機能をリストで表示する。
【００９４】
その後、認証機能を無効に切り換える場合、認証制御部１３の図示されない第２の認証機能切換処理手段としての認証機能無効切換処理手段は、認証機能を切り換えて無効にする。なお、前記認証機能無効切換処理手段は、ジョブの処理の制限を解除するジョブ処理制限解除処理手段としても機能する。
【００９５】
また、入力されたパスワードと管理者パスワード管理テーブルに記録されたパスワードとが一致しない場合、認証判断処理手段は、認証が失敗したことを操作パネル制御部１６に伝え、前記表示処理手段は、表示部ｄｓにパスワード誤入力メッセージ画面ｄｓ１１（図１６）を形成し、該パスワード誤入力メッセージ画面ｄｓ１１に、パスワードが正しくないことを表すメッセージを表示する。続いて、前記表示処理手段は、表示部ｄｓに暗証番号入力画面ｄｓ２を形成し、該暗証番号入力画面ｄｓ２に暗証番号の入力を促すメッセージを表示する。
【００９６】
また、暗証番号の種別が管理者でない場合、前記表示処理手段は、表示部ｄｓに機能選択画面ｄｓ１を形成し、該機能選択画面ｄｓ１に、選択可能な機能をリストで表示し、処理を終了する。
【００９７】
次に、フローチャートについて説明する。
ステップＳ４１  認証機能が有効であるかどうかを判断する。認証機能が有効である場合はステップＳ４２に、認証機能が有効でない場合はステップＳ５４に進む。
ステップＳ４２  暗証番号入力画面ｄｓ２を形成する。
ステップＳ４３  ＩＣカードリーダ３０にＩＣカードがかざされるのを待機し、ＩＣカードがかざされた場合はステップＳ４４に進む。
ステップＳ４４  受信したデータが暗証番号であるかどうかを判断する。受信したデータが暗証番号である場合はステップＳ４５に進み、暗証番号でない場合はステップＳ４２に戻る。
ステップＳ４５  暗証番号が登録されているかどうかを判断する。暗証番号が登録されている場合はステップＳ４７に、登録されていない場合はステップＳ４６に進む。
ステップＳ４６  暗証番号誤入力メッセージ画面ｄｓ１０を形成し、ステップＳ４２に戻る。
ステップＳ４７  暗証番号の種別が管理者であるかどうかを判断する。暗証番号の種別が管理者である場合はステップＳ４８に、管理者でない場合はステップＳ５４に進む。
ステップＳ４８  パスワード入力画面ｄｓ３を形成する。
ステップＳ４９  パスワードが入力されるのを待機し、パスワードが入力された場合はステップＳ５０に進む。
ステップＳ５０  パスワードが登録されているかどうかを判断する。パスワードが登録されている場合はステップＳ５２に、パスワードが登録されていない場合はステップＳ５１に進む。
ステップＳ５１  パスワード誤入力メッセージ画面ｄｓ１１を形成し、ステップＳ４２に戻る。
ステップＳ５２  機能選択画面ｄｓ１を形成する。
ステップＳ５３  認証機能無効切換処理を行い、処理を終了する。
ステップＳ５４  機能選択画面ｄｓ１を形成し、処理を終了する。
【００９８】
次に、認証機能が有効である場合に、前記認証機能無効切換処理において認証機能を無効にするときの複合機１０の動作について説明する。
【００９９】
図２８は本発明の第２の実施の形態における認証機能無効切換処理のサブルーチンを示す図である。
【０１００】
この場合、管理者がＩＣカードをＩＣカードリーダ３０にかざすと、前記情報読取処理部は、ＩＣカードに記録された前記データを読み取り、複合機１０に送信する。
【０１０１】
次に、ＩＣカードデータ受信部１２がＩＣカードリーダ３０から送信されたデータを受信すると、ＩＣカードデータ判定部２２はＩＣカードリーダ３０から受信した前記データが認証機能無効切換情報であるかどうかを判断する。
【０１０２】
そして、前記データが認証機能無効切換情報である場合、認証制御部１３の前記第２の認証機能切換処理手段としての認証機能無効切換処理手段は、認証機能を切り換えて無効にし、無効に切り換えたことを操作パネル制御部１６（図２５）に伝える。そして、前記表示処理手段は、表示部ｄｓに認証機能無効切換メッセージ画面ｄｓ５（図１０）を形成し、該認証機能無効切換メッセージ画面ｄｓ５に認証機能が無効になったことを表すメッセージを表示する。続いて、前記表示処理手段は、表示部ｄｓに機能選択画面ｄｓ１（図６）を形成し、機該能選択画面ｄｓ１に、選択可能な機能をリストで表示する。
【０１０３】
次に、フローチャートについて説明する。
ステップＳ５３−１  ＩＣカードがＩＣカードリーダ３０にかざされるのを待機し、ＩＣカードがＩＣカードリーダ３０にかざされた場合はステップＳ５３−２に進む。
ステップＳ５３−２  受信したデータが認証機能無効切換情報であるかどうかを判断する。受信したデータが認証機能無効切換情報である場合はステップＳ５３−３に進み、認証機能無効切換情報でない場合は処理を終了する。
ステップＳ５３−３  認証機能を無効にし、認証機能無効切換メッセージ画面ｄｓ５を形成する。
ステップＳ５３−４  機能選択画面ｄｓ１を形成し、処理を終了する。
【０１０４】
このように、本実施の形態においては、認証機能が有効である場合に、管理者がＩＣカードをＩＣカードリーダ３０にかざすだけで認証機能を切り換えて無効にすることができるので、認証機能を切り換えるための作業を簡素化することができ、認証機能を切り換えるために必要な時間を短くすることができる。
【０１０５】
前記各実施の形態においては、画像形成装置としての複合機について説明しているが、本発明をプリンタ、複写機、ファクシミリ等に適用することができる。
【０１０６】
なお、本発明は前記各実施の形態に限定されるものではなく、本発明の趣旨に基づいて種々変形させることが可能であり、それらを本発明の範囲から排除するものではない。
【符号の説明】
【０１０７】
１０    複合機
１１    不揮発性メモリ
１３    認証制御部
１９    スキャン制御部
３０    ＩＣカードリーダ
【図１】
2012243271.tif 000003
【図２】
2012243271.tif 000004
【図３】
2012243271.tif 000005
【図４】
2012243271.tif 000006
【図５】
2012243271.tif 000007
【図６】
2012243271.tif 000008
【図７】
2012243271.tif 000009
【図８】
2012243271.tif 000010
【図９】
2012243271.tif 000011
【図１０】
2012243271.tif 000012
【図１１】
2012243271.tif 000013
【図１２】
2012243271.tif 000014
【図１３】
2012243271.tif 000015
【図１４】
2012243271.tif 000016
【図１５】
2012243271.tif 000017
【図１６】
2012243271.tif 000018
【図１７】
2012243271.tif 000019
【図１８】
2012243271.tif 000020
【図１９】
2012243271.tif 000021
【図２０】
2012243271.tif 000022
【図２１】
2012243271.tif 000023
【図２２】
2012243271.tif 000024
【図２３】
2012243271.tif 000025
【図２４】
2012243271.tif 000026
【図２５】
2012243271.tif 000027
【図２６】
2012243271.tif 000028
【図２７】
2012243271.tif 000029
【図２８】
2012243271.tif 000030